(57)【要約】【課題】  互いに隣接する画像同士の境界部分において不必要な線が現れることを抑えることができるインクジェット印刷システムを提供する。【解決手段】  インクジェット印刷システムは、リピート基本画像６０をドットの表現に変換するスクリーニング処理を実行するコンピューターと、コンピューターによってスクリーニング処理が実行された、同一のリピート基本画像６０を複数隣接させて印刷するインクジェットプリンターとを備え、コンピューターは、インクジェットプリンターによって互いに隣接して印刷される複数のリピート基本画像６０同士の隣接方向において、リピート基本画像６０のうち右側や下側の端部のドットの配置を、このリピート基本画像６０のうちこの端部に隣接する部分のドットの配置だけでなく、この端部に隣接する、他のリピート基本画像６０の部分のドットの配置とも連続性を有するものにすることを特徴とする。【選択図】  図５
2020080039.tif 000002
【特許請求の範囲】
【請求項１】
画像をドットの表現に変換するスクリーニング処理を実行するスクリーニング処理部と、
前記スクリーニング処理部によってスクリーニング処理が実行された、同一の前記画像を複数隣接させて印刷する画像印刷部と
を備え、
前記スクリーニング処理部は、前記画像印刷部によって互いに隣接して印刷される複数の前記画像同士の隣接方向において、前記画像のうち少なくとも一方の端部のドットの配置を、この画像のうちこの端部に隣接する部分のドットの配置だけでなく、この端部に隣接する、他の前記画像の部分のドットの配置とも連続性を有するものにすることを特徴とするインクジェット印刷システム。
【請求項２】
前記スクリーニング処理部は、ディザマトリックスを使用してドットの配置を決定するディザ法によって前記スクリーニング処理を実行する場合、前記画像のうち前記端部に使用する前記ディザマトリックスを、この画像のうちこの端部に隣接する部分に使用する前記ディザマトリックスだけでなく、この端部に隣接する、他の前記画像の部分に使用する前記ディザマトリックスとも連続性を有するものにすることを特徴とする請求項１に記載のインクジェット印刷システム。
【請求項３】
前記スクリーニング処理部は、周囲のドットの二値化誤差を使用してドットの配置を決定する誤差拡散法によって前記スクリーニング処理を実行する場合、前記画像のうち前記端部のドットの配置を決定するときに、この画像のうちこの端部に隣接する部分のドットの二値化誤差だけでなく、この端部に隣接する、他の前記画像の部分のドットの二値化誤差をも使用することを特徴とする請求項１に記載のインクジェット印刷システム。
【発明の詳細な説明】
【技術分野】
【０００１】
本発明は、同一の画像を複数隣接させて印刷するインクジェット印刷システムに関する。
【背景技術】
【０００２】
従来、同一の画像を複数隣接させて印刷するインクジェット印刷システムとして、互いに隣接する画像同士の境界部分のデータを模様が連続するように修正した後、修正した画像を複数隣接させて壁紙用紙、カーテン生地用布、ふすま紙用紙、壁装材用材料などの媒体に印刷するものが知られている（例えば、特許文献１参照。）。
【先行技術文献】
【特許文献】
【０００３】
【特許文献１】特開２００１−２３２９１０号公報
【発明の概要】
【発明が解決しようとする課題】
【０００４】
しかしながら、従来のインクジェット印刷システムにおいては、互いに隣接する画像同士の境界部分のデータを模様が連続するように修正することができるものの、画像をスクリーニング処理によってドットの表現に変換した場合に、互いに隣接する画像同士の境界部分において、ドットの配置に連続性が無いことに起因する、ノイズのような不必要な線が現れるという問題がある。
【０００５】
そこで、本発明は、互いに隣接する画像同士の境界部分において不必要な線が現れることを抑えることができるインクジェット印刷システムを提供することを目的とする。
【課題を解決するための手段】
【０００６】
本発明のインクジェット印刷システムは、画像をドットの表現に変換するスクリーニング処理を実行するスクリーニング処理部と、前記スクリーニング処理部によってスクリーニング処理が実行された、同一の前記画像を複数隣接させて印刷する画像印刷部とを備え、前記スクリーニング処理部は、前記画像印刷部によって互いに隣接して印刷される複数の前記画像同士の隣接方向において、前記画像のうち少なくとも一方の端部のドットの配置を、この画像のうちこの端部に隣接する部分のドットの配置だけでなく、この端部に隣接する、他の前記画像の部分のドットの配置とも連続性を有するものにすることを特徴とする。
【０００７】
この構成により、本発明のインクジェット印刷システムは、互いに隣接して印刷される複数の画像同士の隣接方向において、画像のうち少なくとも一方の端部のドットの配置を、この画像のうちこの端部に隣接する部分のドットの配置だけでなく、この端部に隣接する、他の画像の部分のドットの配置とも連続性を有するものにするので、互いに隣接する画像同士の境界部分においてドットの配置に連続性を持たせることができ、その結果、互いに隣接する画像同士の境界部分において不必要な線が現れることを抑えることができる。
【０００８】
本発明のインクジェット印刷システムにおいて、前記スクリーニング処理部は、ディザマトリックスを使用してドットの配置を決定するディザ法によって前記スクリーニング処理を実行する場合、前記画像のうち前記端部に使用する前記ディザマトリックスを、この画像のうちこの端部に隣接する部分に使用する前記ディザマトリックスだけでなく、この端部に隣接する、他の前記画像の部分に使用する前記ディザマトリックスとも連続性を有するものにしても良い。
【０００９】
この構成により、本発明のインクジェット印刷システムは、ディザマトリックスを使用してドットの配置を決定するディザ法によってスクリーニング処理を実行する場合、画像のうち端部に使用するディザマトリックスを、この画像のうちこの端部に隣接する部分に使用するディザマトリックスだけでなく、この端部に隣接する、他の画像の部分に使用するディザマトリックスとも連続性を有するものにするので、画像のうち端部のドットの配置を、この画像のうちこの端部に隣接する部分のドットの配置だけでなく、この端部に隣接する、他の画像の部分のドットの配置とも連続性を有するものにすることを容易化することができる。
【００１０】
本発明のインクジェット印刷システムにおいて、前記スクリーニング処理部は、周囲のドットの二値化誤差を使用してドットの配置を決定する誤差拡散法によって前記スクリーニング処理を実行する場合、前記画像のうち前記端部のドットの配置を決定するときに、この画像のうちこの端部に隣接する部分のドットの二値化誤差だけでなく、この端部に隣接する、他の前記画像の部分のドットの二値化誤差をも使用しても良い。
【００１１】
この構成により、本発明のインクジェット印刷システムは、周囲のドットの二値化誤差を使用してドットの配置を決定する誤差拡散法によってスクリーニング処理を実行する場合、画像のうち端部のドットの配置を決定するときに、この画像のうちこの端部に隣接する部分のドットの二値化誤差だけでなく、この端部に隣接する、他の画像の部分のドットの二値化誤差をも使用するので、画像のうち端部のドットの配置を、この画像のうちこの端部に隣接する部分のドットの配置だけでなく、この端部に隣接する、他の画像の部分のドットの配置とも連続性を有するものにすることを容易化することができる。
【発明の効果】
【００１２】
本発明のインクジェット印刷システムは、互いに隣接する画像同士の境界部分において不必要な線が現れることを抑えることができる。
【図面の簡単な説明】
【００１３】
【図１】本発明の一実施の形態に係るインクジェット印刷システムのブロック図である。
【図２】図１に示すコンピューターのブロック図である。
【図３】図２に示すコンピューターによって生成されるプリント用データの一例を示す図である。
【図４】図１に示すインクジェットプリンターによって生成される印刷物の一例を示す図である。
【図５】図２に示すコンピューターによってディザ法によるスクリーニング処理を実行する場合のリピート基本画像の一例を示す図である。
【図６】（ａ）図２に示すコンピューターによってディザ法によるスクリーニング処理を実行する場合の合成前のディザマトリックスの一例を示す図である。  （ｂ）合成後の図６（ａ）に示すディザマトリックスの一例を示す図である。
【図７】図２に示すコンピューターによって誤差拡散法によるスクリーニング処理を実行する場合のリピート基本画像の一例を示す図である。
【発明を実施するための形態】
【００１４】
以下、本発明の一実施の形態について、図面を用いて説明する。
【００１５】
まず、本実施の形態に係るインクジェット印刷システムの構成について説明する。
【００１６】
図１は、本実施の形態に係るインクジェット印刷システム１０のブロック図である。
【００１７】
図１に示すように、インクジェット印刷システム１０は、画像をドットの表現に変換するスクリーニング処理を実行するスクリーニング処理部としてのＰＣ（Ｐｅｒｓｏｎａｌ  Ｃｏｍｐｕｔｅｒ）などのコンピューター２０と、コンピューター２０によってスクリーニング処理が実行された、同一の画像を複数隣接させて印刷する画像印刷部としてのインクジェットプリンター３０とを備えている。
【００１８】
図２は、コンピューター２０のブロック図である。
【００１９】
図２に示すように、コンピューター２０は、種々の操作が入力されるキーボード、マウスなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、外部の装置と通信を行う通信デバイスである通信部２３と、各種の情報を記憶する半導体メモリー、ＨＤＤ（Ｈａｒｄ  Ｄｉｓｋ  Ｄｒｉｖｅ）などの不揮発性の記憶デバイスである記憶部２４と、コンピューター２０全体を制御する制御部２５とを備えている。
【００２０】
記憶部２４は、画像をインクジェットプリンター３０によって印刷するためのドットの配置のデータであるプリント用データに変換するＲＩＰ（Ｒａｓｔｅｒ  Ｉｍａｇｅ  Ｐｒｏｃｅｓｓｏｒ）ソフトウェア２４ａを記憶している。ＲＩＰソフトウェア２４ａは、例えば、コンピューター２０の製造段階でコンピューター２０にインストールされていても良いし、ＵＳＢ（Ｕｎｉｖｅｒｓａｌ  Ｓｅｒｉａｌ  Ｂｕｓ）メモリー、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの外部の記憶媒体からコンピューター２０に追加でインストールされても良いし、ネットワーク上からコンピューター２０に追加でインストールされても良い。
【００２１】
制御部２５は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２４に記憶されているプログラムを実行する。
【００２２】
次に、インクジェット印刷システム１０の動作について説明する。
【００２３】
利用者は、特定の画像のインクジェットプリンター３０による印刷を操作部２１を介してコンピューター２０に指示することができる。ここで、利用者は、同一の画像を複数隣接させて印刷する機能であるＳｔｅｐ＆Ｒｅｐｅａｔによる印刷をコンピューター２０に指示することができる。Ｓｔｅｐ＆Ｒｅｐｅａｔは、例えば花柄の画像やペイズリー柄の画像など、縦横に繰り返して印刷されることが想定されている柄の画像（以下「リピート基本画像」という。）を、縦横に繰り返して一面に印刷する機能であり、例えば、テキスタイルへの印刷や、壁紙の印刷などに利用される機能である。
【００２４】
コンピューター２０の制御部２５は、Ｓｔｅｐ＆Ｒｅｐｅａｔによる画像の印刷が指示されると、ＲＩＰソフトウェア２４ａを実行することによって、リピート基本画像のカラー値をドットの表現に変換するスクリーニング処理（ハーフトーン処理）を実行することによって、プリント用データ４０（図３参照。）を生成する。そして、制御部２５は、プリント用データ４０と、プリント用データ４０によって示されるリピート基本画像を縦横に何個ずつ印刷するかという情報とを、通信部２３を介してインクジェットプリンター３０に送信する。
【００２５】
図３は、コンピューター２０によって生成されるプリント用データ４０の一例を示す図である。
【００２６】
図３に示すように、プリント用データ４０は、縦横に繰り返して印刷されることが想定されている柄の画像、すなわち、リピート基本画像をドットの配置で表現したデータである。
【００２７】
インクジェットプリンター３０は、プリント用データ４０と、プリント用データ４０によって示されるリピート基本画像を縦横に何個ずつ印刷するかという情報とがコンピューター２０から送信されてくると、コンピューター２０から送信されてきた情報に応じた個数のリピート基本画像を、プリント用データ４０に応じて縦横に並べて印刷することによって、印刷物５０（図４参照。）を生成する。
【００２８】
図４は、インクジェットプリンター３０によって生成される印刷物５０の一例を示す図である。
【００２９】
図４に示すように、印刷物５０は、プリント用データ４０（図３参照。）によって示されるリピート基本画像５１が縦横に並べて媒体に印刷されたものである。なお、図４には、隣接するリピート基本画像５１同士の境界線５１ａが理解の容易のために示されている。しかしながら、境界線５１ａは、実際の印刷物５０上には現れない。
【００３０】
以下、コンピューター２０におけるスクリーニング処理について詳細に説明する。
【００３１】
スクリーニング処理は、リピート基本画像の例えば左端から横方向に延在する１行分を右端に向かって処理することを、縦方向において上端から下端に向かって行毎に繰り返すラスタースキャン方式の処理である。すなわち、リピート基本画像の左側の端部や上側の端部は、スクリーニング処理のうち、始まりの処理の対象であり、リピート基本画像の右側の端部や下側の端部は、スクリーニング処理のうち、終わりの処理の対象である。したがって、同一のリピート基本画像の内部においては、横方向に互いに隣接する部分同士のドットの配置が連続するようにスクリーニング処理が実行されるので、これらの部分同士の間において縦方向に延在する不必要な線が現れることが抑えられるが、横方向に互いに隣接するリピート基本画像同士の境界部分においては、通常は、ドットの配置に連続性が無いので、これらのリピート基本画像同士の間において縦方向に延在する不必要な線が現れる場合がある。同様に、同一のリピート基本画像の内部においては、縦方向に互いに隣接する部分同士のドットの配置が連続するようにスクリーニング処理が実行されるので、これらの部分同士の間において横方向に延在する不必要な線が現れることが抑えられるが、縦方向に互いに隣接するリピート基本画像同士の境界部分においては、通常は、ドットの配置に連続性が無いので、これらのリピート基本画像同士の間において横方向に延在する不必要な線が現れる場合がある。
【００３２】
しかしながら、コンピューター２０の制御部２５は、ＲＩＰソフトウェア２４ａを実行することによって、インクジェットプリンター３０によって互いに隣接して印刷される複数のリピート基本画像同士の隣接方向において、リピート基本画像のうち少なくとも一方の端部のドットの配置を、このリピート基本画像のうちこの端部に隣接する部分のドットの配置だけでなく、この端部に隣接する、他のリピート基本画像の部分のドットの配置とも連続性を有するものにする。
【００３３】
ここで、スクリーニング処理には、ディザマトリックスを使用してドットの配置を決定するディザ法によるスクリーニング処理と、周囲のドットの二値化誤差を使用してドットの配置を決定する誤差拡散法によるスクリーニング処理とが存在する。
【００３４】
まず、ディザ法によるスクリーニング処理について説明する。
【００３５】
図５は、コンピューター２０によってディザ法によるスクリーニング処理を実行する場合のリピート基本画像６０の一例を示す図である。
【００３６】
コンピューター２０の制御部２５は、ディザ法によるスクリーニング処理を実行する場合、図５に示すように、リピート基本画像６０のサイズと、ディザマトリックスのサイズとに基づいて、リピート基本画像６０に対してディザマトリックスを縦横に何回繰り返すかを算出することができる。そして、制御部２５は、適切なディザマトリックスを使用してスクリーニング処理を実行する。
【００３７】
図５には、リピート基本画像６０同士の境界６１が理解の容易のために太線で示されているとともに、ディザマトリックス同士の境界６２が理解の容易のために細線で示されている。しかしながら、境界６１および境界６２は、実際のリピート基本画像６０には現れない。図５においては、例えば、リピート基本画像６０のサイズが縦１８３６ドット、横２７１０ドット分であり、基本となるディザマトリックス６３のサイズが縦５１２ドット、横５１２ドットである。したがって、右端の上端から下端へ向けて３個分のディザマトリックス６４のそれぞれのサイズが縦５１２ドット、横１５０ドットであり、下端の左端から右端へ向けて５個分のディザマトリックス６５のそれぞれのサイズが縦３００ドット、横５１２ドットであり、右端の下端のディザマトリックス６６のサイズが縦３００ドット、横１５０ドットである。
【００３８】
ディザマトリックス６３は、右側に隣接するディザマトリックス６３と、下側に隣接するディザマトリックス６３との全てと連続性を有するように設定されている。
【００３９】
ディザマトリックス６４は、左側に隣接するディザマトリックス６３と、右側に隣接するディザマトリックス６３と、下側に隣接するディザマトリックス６４との全てと連続性を有するように設定されている。
【００４０】
ディザマトリックス６５は、上側に隣接するディザマトリックス６３と、下側に隣接するディザマトリックス６３と、右側に隣接するディザマトリックス６５との全てと連続性を有するように設定されている。
【００４１】
ディザマトリックス６６は、上側に隣接するディザマトリックス６４と、下側に隣接するディザマトリックス６４と、左側に隣接するディザマトリックス６５と、右側に隣接するディザマトリックス６５との全てと連続性を有するように設定されている。
【００４２】
図６（ａ）は、コンピューター２０によってディザ法によるスクリーニング処理を実行する場合の合成前のディザマトリックスの一例を示す図である。図６（ｂ）は、合成後の図６（ａ）に示すディザマトリックスの一例を示す図である。
【００４３】
ディザマトリックスは、横方向における両側のディザマトリックスとの連続性を有するために、横方向において、例えば４０ドットなど、特定のサイズが必要である。したがって、制御部２５は、横方向におけるディザマトリックスのサイズが特定のサイズ未満である場合に、このディザマトリックスを、横方向に隣接するディザマトリックスと合成する。例えば、ディザマトリックス６４は、図６（ａ）に示すように、横方向におけるサイズが３９ドットである場合、図６（ｂ）に示すように、左側のディザマトリックス６３と合成されて横方向におけるサイズが４０ドット以上にされる。以上においては、横方向について説明したが、縦方向についても同様である。すなわち、制御部２５は、縦方向におけるディザマトリックスのサイズが特定のサイズ未満である場合に、このディザマトリックスを、縦方向に隣接するディザマトリックスと合成する。
【００４４】
コンピューター２０の制御部２５によって使用されるディザマトリックスは、全てのパターンが記憶部２４に記憶されていても良い。例えば、ｎ、ｍがそれぞれ４０から５５１までの整数である場合、記憶部２４には、縦ｎドット、横ｍドットの全てのサイズのパターンのディザマトリックスが予め記憶されていても良い。
【００４５】
しかしながら、全てのサイズのパターンのディザマトリックスが記憶部２４に記憶される場合、ディザマトリックスの記憶のために記憶部２４の記憶容量を大量に消費する。したがって、コンピューター２０の制御部２５は、ディザマトリックスのパターンを生成するためのパターン生成プログラムを実行することによって、リピート基本画像のサイズに基づいて必要なディザマトリックスを、リピート基本画像に対してスクリーニング処理を実行する際に都度生成しても良い。なお、制御部２５は、ディザマトリックスの生成と、このディザマトリックスを使用したスクリーニング処理の結果とからＡＩ（Ａｒｔｉｆｉｃｉａｌ  Ｉｎｔｅｌｌｉｇｅｎｃｅ）によって学習した結果に基づいて、適切なディザマトリックスを生成しても良い。
【００４６】
次に、誤差拡散法によるスクリーニング処理について説明する。
【００４７】
図７は、コンピューター２０によって誤差拡散法によるスクリーニング処理を実行する場合のリピート基本画像７０の一例を示す図である。
【００４８】
図７には、リピート基本画像７０同士の境界７１が理解の容易のために太線で示されている。また、リピート基本画像７０のうち右側の端部７２の境界７２ａと、リピート基本画像７０のうち下側の端部７３の境界７３ａと、リピート基本画像７０のうち端部７２の左側に隣接する部分７４の境界７４ａと、リピート基本画像７０のうち端部７３の上側に隣接する部分７５の境界７５ａとが理解の容易のために細線で示されている。しかしながら、境界７１、境界７２ａ、境界７３ａ、境界７４ａおよび境界７５ａは、実際のリピート基本画像７０には現れない。
【００４９】
コンピューター２０の制御部２５は、誤差拡散法によるスクリーニング処理を実行する場合、図７に示すように、リピート基本画像７０のうち右側の端部７２のドットの配置を決定するときに、リピート基本画像７０のうち端部７２の左側に隣接する部分７４のドットの二値化誤差だけでなく、端部７２の右側に隣接する、他のリピート基本画像７０の部分のドットの二値化誤差をも使用する。同様に、制御部２５は、誤差拡散法によるスクリーニング処理を実行する場合、リピート基本画像７０のうち下側の端部７３のドットの配置を決定するときに、リピート基本画像７０のうち端部７３の上側に隣接する部分７５のドットの二値化誤差だけでなく、端部７３の下側に隣接する、他のリピート基本画像７０の部分のドットの二値化誤差をも使用する。
【００５０】
例えば、制御部２５は、右側の端部７２のドットや、下側の端部７３のドットであるか否かにかかわらず、リピート基本画像７０のドットの配置を決定する場合に、このドットの左側の数ドット先までのドットの二値化誤差や、上側の数ドット先までのドットの二値化誤差だけでなく、右側の数ドット先までのドットの二値化誤差や、下側の数ドット先までのドットの二値化誤差をも使用しても良い。制御部２５は、右側の端部７２のドットや、下側の端部７３のドットであるか否かにかかわらず、リピート基本画像７０の全てのドットについて同一のロジックでドットの配置を決定する場合、リピート基本画像７０の内部においてドットの配置に連続性を持たせることができる。
【００５１】
以上に説明したように、インクジェット印刷システム１０は、互いに隣接して印刷される複数のリピート基本画像同士の隣接方向において、リピート基本画像のうち右側や下側の端部のドットの配置を、このリピート基本画像のうちこの端部に隣接する部分のドットの配置だけでなく、この端部に隣接する、他のリピート基本画像の部分のドットの配置とも連続性を有するものにするので、互いに隣接するリピート基本画像同士の境界部分においてドットの配置に連続性を持たせることができ、その結果、互いに隣接するリピート基本画像同士の境界部分において不必要な線が現れることを抑えることができる。
【００５２】
インクジェット印刷システム１０は、リピート基本画像に対してスクリーニング処理を実行することによってプリント用データを生成し、このプリント用データに応じたリピート基本画像を縦横に並べて印刷するので、リピート基本画像を縦横に並べた全体の画像に対してスクリーニング処理を実行する場合と比較して、コンピューター２０やインクジェットプリンター３０の処理量を低減することができる。したがって、インクジェット印刷システム１０は、リピート基本画像を縦横に並べた画像を印刷する場合のコンピューター２０やインクジェットプリンター３０のＲＡＭや記憶部の使用量を低減することができる。
【００５３】
インクジェット印刷システム１０は、ディザマトリックスを使用してドットの配置を決定するディザ法によってスクリーニング処理を実行する場合、図５に示すように、リピート基本画像６０のうち右側や下側の端部に使用するディザマトリックス６４〜６６を、このリピート基本画像６０のうちこの端部に隣接する部分に使用するディザマトリックス６３だけでなく、この端部に隣接する、他のリピート基本画像６０の部分に使用するディザマトリックス６３とも連続性を有するものにするので、リピート基本画像６０のうち右側や下側の端部のドットの配置を、このリピート基本画像６０のうちこの端部に隣接する部分のドットの配置だけでなく、この端部に隣接する、他のリピート基本画像６０の部分のドットの配置とも連続性を有するものにすることを容易化することができる。
【００５４】
インクジェット印刷システム１０は、周囲のドットの二値化誤差を使用してドットの配置を決定する誤差拡散法によってスクリーニング処理を実行する場合、図７に示すように、リピート基本画像７０のうち右側の端部７２や下側の端部７３のドットの配置を決定するときに、このリピート基本画像７０のうちこの端部７２、７３に隣接する部分７４、７５のドットの二値化誤差だけでなく、この端部７２、７３に隣接する、他のリピート基本画像７０の部分のドットの二値化誤差をも使用するので、リピート基本画像７０のうち右側の端部７２や下側の端部７３のドットの配置を、このリピート基本画像７０のうちこの端部７２、７３に隣接する部分７４、７５のドットの配置だけでなく、この端部７２、７３に隣接する、他のリピート基本画像７０の部分のドットの配置とも連続性を有するものにすることを容易化することができる。
【００５５】
なお、インクジェット印刷システム１０は、カラーの印刷を実行する場合、色の成分毎の画像に対して、それぞれ異なるスクリーニング処理を実行しても良い。例えば、インクジェット印刷システム１０は、ＣＭＹＫによるカラーの印刷を実行する場合、色の成分、すなわち、シアン、マゼンタ、イエローおよびブラックのそれぞれの画像に対して、それぞれ異なるスクリーニング処理を実行しても良い。また、インクジェット印刷システム１０は、カラーの印刷を実行する場合、色の成分毎にリピート基本画像の境界の範囲が異なっても良い。
【００５６】
インクジェット印刷システム１０によるスクリーニング処理は、本実施の形態において、リピート基本画像の例えば左端から横方向に延在する１行分を右端に向かって処理することを、縦方向において上端から下端に向かって行毎に繰り返す。しかしながら、インクジェット印刷システム１０によるスクリーニング処理は、リピート基本画像の右端から横方向に延在する１行分を左端に向かって処理することを、縦方向において上端から下端に向かって行毎に繰り返しても良い。
【００５７】
インクジェット印刷システム１０によるスクリーニング処理は、本実施の形態において、リピート基本画像の横方向に延在する各行分の処理を、縦方向において上端から下端に向かって行毎に繰り返す。しかしながら、インクジェット印刷システム１０によるスクリーニング処理は、リピート基本画像の横方向に延在する各行分の処理を、縦方向において下端から上端に向かって行毎に繰り返しても良い。
【００５８】
インクジェット印刷システム１０によるスクリーニング処理は、本実施の形態において、リピート基本画像の横方向に延在する各行分の処理を、縦方向において行毎に繰り返す。しかしながら、インクジェット印刷システム１０によるスクリーニング処理は、リピート基本画像の縦方向に延在する各行分の処理を、横方向において行毎に繰り返しても良い。
【００５９】
インクジェット印刷システム１０は、本実施の形態において、コンピューター２０においてスクリーニング処理を実行する。しかしながら、インクジェット印刷システム１０は、インクジェットプリンター３０においてスクリーニング処理を実行しても良い。
【符号の説明】
【００６０】
１０  インクジェット印刷システム
２０  コンピューター（スクリーニング処理部）
３０  インクジェットプリンター（画像印刷部）
５１  リピート基本画像（画像）
６０  リピート基本画像（画像）
６３  ディザマトリックス
６４〜６６  ディザマトリックス（端部に使用するディザマトリックス）
７０  リピート基本画像（画像）
７２、７３  端部
７４、７５  部分（端部に隣接する部分）
【図１】
2020080039.tif 000003
【図２】
2020080039.tif 000004
【図３】
2020080039.tif 000005
【図４】
2020080039.tif 000006
【図５】
2020080039.tif 000007
【図６】
2020080039.tif 000008
【図７】
2020080039.tif 000009